(57)【要約】【課題】気体の送りを継続させながら、ダストの集塵を実施できるようにする。【解決手段】流路２内を移動する気体Ｇに含むダストＤを堰き止めるフィルタ部４を流路２の一部に設け、フィルタ部４で堰き止められたダストＤをフィルタ部４から取り除くフィルタ清掃部８を設け、フィルタ清掃部８で取り除かれたダストＤを流路外へ排出自在な排出部Ｈを設けてある集塵設備において、排出部Ｈの下手側に密閉排出流路５を連結し、その密閉排出流路５に、ダストＤを回収して気体Ｇと分離自在な固気分離機構６を設け、固気分離機構６からの気体Ｇを流路２に再び戻す返送手段Ｒを設けてある。【選択図】　　　　図１
2004016977.tif 000002
【特許請求の範囲】
【請求項１】
流路内を移動する気体に含むダストを堰き止めるフィルタ部を前記流路の一部に設け、前記フィルタ部で堰き止められたダストを前記フィルタ部から取り除くフィルタ清掃部を設け、前記フィルタ清掃部で取り除かれたダストを流路外へ排出自在な排出部を設けてある集塵設備であって、
前記排出部の下手側に密閉排出流路を連結し、その密閉排出流路に、前記ダストを回収して気体と分離自在な固気分離機構を設け、前記固気分離機構からの気体を前記流路に再び戻す返送手段を設けてある集塵設備。
【請求項２】
前記固気分離機構は、サイクロン集塵装置で構成してあり、前記返送手段は、前記サイクロン集塵装置から排出される前記気体を、前記流路での前記フィルタ部より上手側に戻す戻し流路を備えて構成してある請求項１に記載の集塵設備。
【請求項３】
前記戻し流路の終端部は、前記フィルタ部を設けてある流路部分の周壁に着脱自在な底蓋部に貫通状態に接続してある請求項２に記載の集塵設備。
【請求項４】
前記フィルタ清掃部は、前記流路を流れる気体の流動力を駆動源として前記フィルタ部からダストを取り除き駆動する駆動部を設けてある請求項１〜３の何れか一項に記載の集塵設備。
【発明の詳細な説明】
【０００１】
【発明の属する技術分野】
本発明は、流路内を移動する気体に含むダストを堰き止めるフィルタ部を前記流路の一部に設け、前記フィルタ部で堰き止められたダストを前記フィルタ部から取り除くフィルタ清掃部を設け、前記フィルタ清掃部で取り除かれたダストを流路外へ排出自在な排出部を設けてある集塵設備に関する。
【０００２】
【従来の技術】
従来、この種の集塵設備としては、図４に示すように、流入側管２Ａ、及び、排出側管２Ｂへの取付部３０ａを、設備本体３０の両端に各別に設け、設備本体３０の中央部には流路が屈曲する状態に形成されたフィルタ部４を設けてあるものがあった。　そして、前記フィルタ部４は、メッシュ製の筒部材からなるフィルタＦを設けて構成してあった。このフィルタＦによって流路２の上流側と下流側とが仕切られており、フィルタ筒の内空が流路２の上流側と連通し、フィルタ筒の外空が流路２の下流側と連通する状態に設けてある。また、フィルタＦに内接する状態に、フィルタ面に堰き止められたダストＤを掻き取るブラシ（フィルタ清掃部に相当）８を回転操作自在に設けてあると共に、管体の一部には、掻き取られたダストＤを、設備本体３０内の気体Ｇと共に管外に排出するバルブ（排出部Ｈに相当）が設けてあった。
【０００３】
【発明が解決しようとする課題】
上述した従来の集塵設備によれば、ダストがフィルタに堰き止められて目詰まりを生じると気体の流れを阻害するから、目詰まりを生じる前に、前記ブラシによってフィルタからダストを分離する必要がある。そして、その分離したダストを排出する際には、気体の送りを中断した状態で前記バルブを開放して、気体と共にダストを管外に排出しなければならない。
このように、ダストの排出に手間が掛かると共に、その都度、気体の送りを中断しなければならず、気体の搬送に支障を来し易いといった問題点がある。
また、ダストと共に管外に気体が排出されるから、可燃性の気体や、有毒な気体を対象とした集塵に使用するには適さないものであった。
【０００４】
従って、本発明の目的は、上記問題点を解消し、気体の送りを継続させながら、ダストの集塵を実施できる集塵設備を提供するところにある。
【０００５】
【課題を解決するための手段】
請求項１の発明の特徴構成は、流路内を移動する気体に含むダストを堰き止めるフィルタ部を前記流路の一部に設け、前記フィルタ部で堰き止められたダストを前記フィルタ部から取り除くフィルタ清掃部を設け、前記フィルタ清掃部で取り除かれたダストを流路外へ排出自在な排出部を設けてある集塵設備において、前記排出部の下手側に密閉排出流路を連結し、その密閉排出流路に、前記ダストを回収して気体と分離自在な固気分離機構を設け、前記固気分離機構からの気体を前記流路に再び戻す返送手段を設けてあるところにある。
【０００６】
請求項１の発明の特徴構成によれば、排出部の下手側に密閉排出流路を連結し、その密閉排出流路に、ダストを回収して気体と分離自在な固気分離機構を設け、固気分離機構からの気体を前記流路に再び戻す返送手段を設けてあるから、流路内の気体は、フィルタ部・固気分離機構で集塵された後、前記返送手段によって流路に戻され、ダスト除去の経路としては密閉された状態を維持できる。従って、外部に気体を漏らさない状態での集塵を実施することが可能となり、対象とする気体の選択範囲が従来に比べて広がり、用途上の汎用性が向上する。更には、気体の輸送を中断せずに集塵を継続することができるので、気体の輸送効率低下をも防止することができる。
【０００７】
請求項２の発明の特徴構成は、前記固気分離機構は、サイクロン集塵装置で構成してあり、前記返送手段は、前記サイクロン集塵装置から排出される前記気体を、前記流路での前記フィルタ部より上手側に戻す戻し流路を備えて構成してあるところにある。
【０００８】
請求項２の発明の特徴構成によれば、請求項１の発明による作用効果を叶えることができるのに加えて、フィルタ部から密閉排出流路・サイクロン集塵装置を経由して戻し流路でフィルタ部上流側に戻すため、サイクロン集塵装置で除去しきれなかったダストが流路下流側に飛散すると言ったことを防止でき、安定したフィルタ効果を発揮できると共に、循環を繰り返すうちに次々とダストが除去されてゆき、効率のいい集塵を叶えることができる。また、フィルタ部で堰き止められたダストも、その下流側のサイクロン集塵装置に送られて自動的に回収されるから、手間の掛からない集塵が可能となる。
更には、前記フィルタ部によってサイクロン集塵装置のバックアップフィルタを兼用することが可能となり、装置の簡略化を図ることが可能となる。
【０００９】
請求項３の発明の特徴構成は、前記戻し流路の終端部は、前記フィルタ部を設けてある流路部分の周壁に着脱自在な底蓋部に貫通状態に接続してあるところにある。
【００１０】
請求項３の発明の特徴構成によれば、請求項２の発明による作用効果を叶えることができるのに加えて、前記底蓋部を当該発明に係わるものに取り替えるだけで、従来品を当該発明品に改良することが簡単に実施でき、従来からの流路を無駄なく利用することが可能となる。
【００１１】
請求項４の発明の特徴構成は、前記フィルタ清掃部は、前記流路を流れる気体の流動力を駆動源として前記フィルタ部からダストを取り除き駆動する駆動部を設けてあるところにある。
【００１２】
請求項４の発明の特徴構成によれば、請求項１〜３の何れかの発明による作用効果を叶えることができるのに加えて、流路を流れる気体のエネルギーを有効に利用してフィルタ部のダスト除去を行うことが可能となる。従って、モータ等の駆動源を設置しなくても自動運転させることが可能となり、装置コストの低減と共に、ランニングコストの低減をも叶えることが可能となる。
また、気体が流れていればフィルタ清掃部を稼動させることができるから、フィルタからのダスト除去を常時実施することができ、フィルタの目詰まりの無い状態を維持し、流体抵抗をより低減した状態での送気搬送が可能となる。
【００１３】
【発明の実施の形態】
以下に本発明の実施の形態を図面に基づいて説明する。尚、図面において従来例と同一の符号で表示した部分は、同一又は相当の部分を示している。
【００１４】
図１は、本発明の集塵設備の一実施形態（以後、単に集塵設備１という）を示すもので、ガス管路（流路に相当）２の一部に集塵設備１は、組み込んである。
【００１５】
前記集塵設備１は、図１に示すように、流入側管２Ａを連結してあるガス流入部３ａと排出側管２Ｂを連結してあるガス排出部３ｂとを備えた設備本体３によって構成してある。
【００１６】
前記設備本体３は、図に示すように、流路線形が「Ｙ」字形状の変形管で形成してあり、その「Ｙ」字形状の脚部にフィルタ部４が設けてある。また、フィルタ部４の底蓋部４ａには排出部Ｈが設けてあり、この排出部Ｈに流路から分岐する状態に、密閉排出流路５の基端部が連通接続してある。そして、密閉排出流路５の先端部は、サイクロン集塵装置（固気分離機構の一例）６の流入部に連通接続してあり、更には、サイクロン集塵装置６の排出部には、前記ガス流入部３ａに通じる戻し流路（返送手段Ｒに相当）７が接続してある。従って、設備本体３内を通過するガス管路２とは別に、設備本体３から密閉排出流路５、サイクロン集塵装置６、戻し流路７、そして設備本体３からなる循環集塵流路Ｊが形成されている。
【００１７】
前記フィルタ部４は、円錐台筒形状に形成されたメッシュ製のフィルタＦを設けて構成してある。このフィルタＦによってガス管路２の上流側と下流側とが仕切られており、フィルタ筒の内空がガス管路２の上流側と連通し、フィルタ筒の外空がガス管路２の下流側と連通する状態に設けてある。また、フィルタ筒の内空は、前記密閉排出流路５にも連通させてある。
一方、フィルタＦの筒内部には、内周面に当接する状態にフィルタ清掃部８を回転駆動自在に設けてある。このフィルタ清掃部８は、図２に示すように、一側面にブラシ部８ａを設け、他側面に吸引ノズル８ｂを設け、中心軸内空部が前記吸引ノズル８ｂの吸引路となるように構成してあり、中心軸周りに回転できる。このフィルタ清掃部８を回転させることによって、前記フィルタＦの内周面に堰き止められているダストＤを掻き落とすと共に、吸引して前記密閉排出路５を通してサイクロン集塵装置へ送り込むことができる。前記ブラシ部８ａが主としてダストＤの掻き落としを行い、前記吸引ノズル８ｂがダストＤの吸引を行う。
因みに、フィルタ清掃部８の回転駆動に関しては、ガス管路２内のガスの流れのエネルギーによって駆動力を発生するプロペラ型の駆動部９を、前記フィルタ清掃部８の上端に一体的に形成してある。従って、ガス管路２内をガス（気体に相当）Ｇが流れるに伴って、その流動力を前記駆動部９が受けて前記フィルタ清掃部８を回転駆動させることができる。
【００１８】
前記サイクロン集塵装置６は、図１に示すように、遠心力を用いた流体浄化装置であり、縦方向に二つの部屋が重なって形成されている。上の部屋は、内空部の形状が上下逆円錐形をした集塵作用部６Ａとして構成してあり、下の部屋は、集塵作用部６Ａで除去されたダストＤが落下して溜まる集塵部６Ｂとして構成してある。
前記集塵作用部６Ａ周壁の上端部には、前記密閉排出流路５が連通接続してある。この接続部でのガスＧの流入は、図３に示すように、集塵作用部６Ａの内空円形の接線に沿うように設定してある。従って、流入ガスＧは、集塵作用部６Ａの周壁に沿って螺旋を描く状態で下降していく。その過程で、ダストＤは、自らの凝集効果や、失速効果によって前記集塵部６Ｂに落下して回収される（図１参照）。
また、集塵作用部６Ａの天井中央部には、前記戻し流路７が連通接続してある。そして、この接続部には、集塵作用部６Ａの内空部に垂下する状態に筒部１０を設けてある。この筒部１０は、前記密閉排出流路５から流入してきたガスＧが、戻し流路７にショートパスするのを防止して、集塵性能を向上させる作用がある。
一方、集塵作用部４Ａを下降したガスＧは、中央部で上昇しながら、この筒部１０を通して戻し流路７に移動し、設備本体３におけるフィルタ部４より流路上流側に戻る。
尚、前記密閉排出流路５、及び、前記戻し流路７には、それぞれガスＧを流すためのポンプＰを設けてある。
【００１９】
本実施形態の集塵設備によれば、密閉された循環集塵流路Ｊでのガス循環によってガスＧからダストＤを除去することが可能となり、効率のいい集塵を叶えることができる他、外部にガスを漏らさない状態での集塵を実施することが可能となるから、ガスＧの輸送を中断せずに集塵を継続することができる。
また、フィルタ部４で堰き止められたダストＤも、その下流側のサイクロン集塵装置６に送られて自動的に回収されるから、手間の掛からない集塵が可能となる。
更には、流路を流れる気体のエネルギーを有効に利用してフィルタ部のダスト除去を行うことが可能となる。
【００２０】
〔別実施形態〕
以下に他の実施の形態を説明する。
【００２１】
〈１〉　前記流路は、先の実施形態で説明したガス管路に限るものではなく、例えば、ガス以外の気体を流通させる流路であってもよく、それらを総称して流路と言う。
〈２〉　前記固気分離機構は、先の実施形態で説明したサイクロン集塵装置に限るものではなく、例えば、フィルタ等を使用して固体と気体とを分離するものであってもよく、それらを総称して固気分離機構と言う。
〈３〉　前記返送手段は、先の実施形態で説明したように、固気分離機構からの気体を前記流路でのフィルタ部４より上手側に戻すように構成した戻し流路に限るものではなく、例えば、流路でのフィルタ部４より下手側に戻すように構成してあってもよく、それらを総称して返送手段と言う。
〈４〉　前記フィルタ清掃部をクリーニングのために回転駆動させる駆動システムは、先の実施形態で説明したプロペラ方式の駆動部９に限るものではなく、例えば、手動によってフィルタＦの表面を清掃できる回転機構や、スライド機構等であってもよく、更には、フィルタ清掃部回転駆動用のモータを設ける構成を採用することも可能である。
〈５〉　前記返送手段を構成する戻し流路の終端部は、先の実施形態では、設備本体３のガス流入部３ａに接続してあるものを説明したが、例えば、前記底蓋部４ａを貫通する状態に接続して、フィルタ内空部に気体を戻すように構成してあってもよい。この場合は、従来品の設備本体にも底蓋部４ａを取り替えるだけで、本発明を適用させることが簡単に実施でき、設備のコストアップを抑制することが可能となる。
【００２２】
尚、上述のように、図面との対照を便利にするために符号を記したが、該記入により本発明は添付図面の構成に限定されるものではない。
【図面の簡単な説明】
【図１】集塵設備を示す側面視説明図
【図２】フィルタ清掃部を示す一部切欠き斜視図
【図３】サイクロン集塵装置へのガスの流入状況を示す平面図
【図４】従来の集塵設備を示す側面視説明図
【符号の説明】
２　　　流路
４　　　フィルタ部
５　　　密閉排出流路
６　　　固気分離機構
７　　　戻し流路
８　　　フィルタ清掃部
９　　　駆動部
Ｄ　　　ダスト
Ｇ　　　気体
Ｈ　　　排出部
Ｒ　　　返送手段
【図１】
2004016977.tif 000003
【図２】
2004016977.tif 000004
【図３】
2004016977.tif 000005
【図４】
2004016977.tif 000006